(57)【要約】      （修正有）【課題】  砂または土壌を充填することが容易な植栽基盤材を提供すること、根切効果のある植栽基盤材、およびヘタリの少ない、かつ植物の生育を阻害しない、保水性の高い植物培地を提供する。【解決手段】  平均径１０〜１００ｍｍの孔２を厚さ方向に多数有し、かつ厚さ１０〜１００ｍｍのわたシート１を単層または複数層有する植栽基盤材とするとともに、前記植物基盤材の孔２に砂または土壌を充填した植物培地とする。【選択図】  図１
2005261423.tif 000002
【特許請求の範囲】
【請求項１】
平均径１０〜２００ｍｍの孔を厚さ方向に多数有し、かつ厚さ１０〜１００ｍｍのわたシートからなる植栽基盤材。
【請求項２】
わたシートが、吸水率２００重量％以上、嵩比重１．０以下である請求項１記載の植栽基盤材。
【請求項３】
請求項１または２記載のわたシートを複数層有する植栽基盤材。
【請求項４】
請求項１〜３のいずれかに記載の植栽基盤材の孔に砂または土壌を充填した植物培地。
【請求項５】
砂または土壌に植物の種子、球根または苗を混入させるか、またはこれにさらに肥料を混入させた請求項４記載の植物培地。
【請求項６】
請求項１〜５のいずれかに記載のグランドまたは庭用植栽基盤材または植物培地。
【請求項７】
請求項１〜５のいずれかに記載の屋上またはベランダ用植栽基盤材または植物培地。
【発明の詳細な説明】
【技術分野】
【０００１】
本発明は、へたりの少ないわたシートを使用した植栽基盤材およびそれを用いた植物培地に関する。
【背景技術】
【０００２】
従来、ダブルラッセルからなる植栽基盤材が知られている（例：特許文献１）。しかしながら、ダブルラッセルの網目は小さいため、土壌を充填するのに手間がかかり、さらに土壌を充填した後上部から圧力がかかった場合、土壌の充填が不充分なため、へたりを防止するのは困難であった。また、従来の植栽基盤材では、根切作業が出来ないため、たとえば薄層の屋上緑化システムでは、３〜５年後生育に障害が出始めたとき、植え替えをしていた。
【特許文献１】実開平６−３５３３４号公報（請求の範囲）
【発明の開示】
【発明が解決しようとする課題】
【０００３】
本発明は、上記従来技術の欠点を解消するためになされたものであり、砂または土壌を充填するのが容易な植栽基盤材を提供すること、根切作業の出来る植栽基盤材を提供することおよびヘタリの少ない植物培地を提供することを目的とする。
【課題を解決するための手段】
【０００４】
上記目的は、平均径１０〜２００ｍｍの孔を厚さ方向に多数有し、かつ厚さ１０〜１００ｍｍのわたシートからなる植栽基盤材を提供することによって達成される。
また、上記目的は、わたシートが、吸水率２００重量％以上、嵩比重１．０以下である上記植栽基盤材を提供することによって、より好適に達成される。
また、上記目的は、上記のわたシートを複数層有する植栽基盤材提供することによって、より好適に達成される。
さらに、上記目的は、上記の植栽基盤材の孔に砂または土壌を充填した植物培地を提供することによって、またこの植物培地に植物の種子、球根または苗を混入させるか、またはこれにさらに肥料を混入させた植物培地を提供することによって達成される。
【発明の効果】
【０００５】
本発明の植栽基盤材は、砂または土壌を充填するのが容易であり、また砂または土壌を充填した植物培地は、ヘタリが極めて少なく、また保水性が高いため、植栽基盤材の厚さを薄くすることができる。とくに、植物培地を踏みつけてもヘタリが極めて少ないため、芝生などの植物の寿命を長くすることができる。
また、わたシートを複数層とすることにより、植物の根がトレーの中などに一杯になったとき、下層のわたシートを更新することにより、根切効果があり、根が新たに生育するスペースが確保できる。
また、本発明の植栽基盤材は、軽量であるため、屋上、ベランダ、壁面などの構造物に対して悪影響が少なく、これらの構造物の緑化用に適している。
【発明を実施するための最良の形態】
【０００６】
本発明において、植栽基盤材の厚さ方向に有する孔は、平均径１０〜２００ｍｍであることが重要であり、好適には２０〜１００ｍｍである。孔径がこの範囲にあることにより、砂または土壌の孔への充填が容易であり、ヘタリが少なく、また保水性が高いため、植物の生育も優れている。孔としては円形、楕円形、多角形（三角形、正方形、長方形、台形など）、扁平形などがあげられるが、円形が好適である。ここで、孔の平均径とは最大径と最小径の平均値をいう。また、孔の最小径は５ｍｍ以上であることが好適である。孔は植栽基盤材の厚さ方向、好適には垂直方向に設けられるが、やや傾斜させて設けることもできる。孔は厚さ方向に貫通して設けることが好適であるが、貫通しないで底部を残すように設けることもできる。
【０００７】
また、孔は多数有することが重要であり、植栽基盤材１ｍ２あたり１０〜３０００個であることが好適であり、２０〜１５００個であることがより好適である。一枚の植栽基盤材の大きさは、その使用目的によって適宜決められるが、縦横１０ｃｍ〜１０ｍ、好適には３０ｃｍ〜５ｍの範囲から選ばれる。
本発明のわたシートからなる植栽基盤材の厚さは、１０〜１００ｍｍであることが重要であり、好適には２０〜８０ｍｍである。厚さがこの範囲にあることにより、へたりが少なく、軽量で、かつ保水性が高く、植物の生育も優れている。
【０００８】
わたシートは、吸水率２００重量％以上、嵩比重１．０以下｛孔をつけた不織布を６０℃の乾燥機で９０分間乾燥し、常温状態（２０℃、６０％ＲＨ）に２４時間放置した後測定した値｝であることが、保水性に優れ、さらに砂、土壌を充填したときのヘタリが少ないことから好適である。吸水率は２５０重量％以上であることがより好適であり、嵩比重は０．１以下であることがより好適である。ここで、吸水率とは次の式で測定される値である。
孔をつけた不織布を６０℃の乾燥機で９０分間乾燥し、常温状態（２０℃、６０％ＲＨ）に２４時間放置した後、不織布の重量（Ａ）を測定。
上記した、乾燥後、常温状態に放置した不織布を３０℃の水に１０分間浸漬し、これを取り出し、常温状態（２０℃、６０％ＲＨ）に垂直に２時間放置した後、不織布の重量（Ｂ）を測定。
吸水率（％）＝｛（Ｂ−Ａ）／Ａ｝×１００
【０００９】
わたシートの素材としては、ポリエステル繊維を主体とし、これに親水性繊維、たとえばポリビニルアルコール系繊維（ビニロン、エチレン−ビニルアルコール共重合体繊維など）を配合したものが好適である。わたとしては、カタワタ、不織布などが挙げられ、不織布としてはニードルパンチング方式、熱風接着方式、浸漬接着方式などにより得られたものが用いられる。わたシートの孔は打ち抜きなどの方法により得られる。また、このわたシートには肥料などを混入させておくこともできる。
【００１０】
このようにして得た多数の孔を有するわたシートからなる植栽基盤材を、ベランダまたは土壌面に設け、孔に砂または土壌を充填することにより、へたりの少ない植物培地を得ることができる。孔に砂または土壌を充填する際、植物の種子、球根、または苗を同時に混入させるか、またはこれにさらに肥料を混入させることもできる。ここで、苗としては各種花の苗、野菜の苗、または芝生などが挙げられる。
【００１１】
本発明においては、上記わたシートを複数層設けることが好適な態様である。たとえば植栽後３〜５年後に根が蔓延り、新たな根が育たなくなり生育に支障が出始めたとき、複数層のうち下層の一層または２層以上を、新しいわたシートに取り替えることにより、根を新しく生育させることができる。また、施工時に、わたシートを重ねて敷き詰めておくだけで良いので、３〜５年後の取り替え作業は極めて簡単である。ここで、上記わたシート層を複数層設けるとは、２層以上、または３層以上をいうが、２層であることが、新しい根の生育、経済性の点から好適である。複数構造とする場合は、その全体の厚さは、２０〜１００mmであることが好適であり、３０〜８０mmであることがさらに好適である。また、この複数構造の植栽基盤材は、とくに芝類の植栽に好適である。
【００１２】
次に、本発明を図面により説明する。
図１は、本発明の植栽基盤材の平面図であり、わたシート１に厚み方向に円形の孔２を縦横に多数を設けたものであり、図２は、図１のＡ−Ａの断面図であり、３は貫通した孔である。  
図３は、本発明の他の態様を示す植栽基盤材の平面図であり、わたシート１に厚み方向に正方形の孔２を縦横に多数を設けたものであり、図４は、図３のＡ−Ａの断面図であり、４は貫通していない底部５を残した孔である。
図５は、本発明の他の態様を示す植栽基盤材の平面図であり、わたシート１に厚み方向に長方形の孔２を縦横に多数貫通して設けたものであり、図６は、本発明の他の態様を示す植栽基盤材の平面図であり、わたシート１に厚み方向に扁平状の孔２を縦横に多数貫通して設けたものである。
【００１３】
図７は、底部に多数のトレー６を有し、かつ側壁１０を有する樹脂製外枠７を、ベランダに設置し、トレーに土を詰めた後、図１に示す植栽基盤材１を２枚並べて設置し、貫通孔３に砂または土壌を充填した植物培地の斜視図である。この培地の上には、芝生などの植物を植栽することができる。
ベランダまたは屋上に使用する場合は、水の溜まるトレー６を使用し、夏の炎天下では２〜３日毎に潅水することが好ましい。またトレーの下には防水層（防水シートなど；図示せず）を設け、トレーと防水層を接着させることが好適である。また、周囲はレンガ・ブロックで囲い、上部は網を張るか、ロープで部分的に固定することが好適である。
【００１４】
図８は、底部に多数のトレー６を有し、かつ側壁１０を有する樹脂製外枠７を、土の上に設置し、トレーに土を詰めた後、図１に示す植栽基盤材１を複数枚並べて設置し、貫通孔３に砂または土壌を充填し、土を締固めした後、表面が凹凸にならないように整え、その上に芝生９を植栽した植物培地の斜視図である。
グランドなどの土の上に使用する場合は、トレーの下部に孔８を設け排水を良くすることが好ましい。
【００１５】
図９は、図１に示すわたシート１を２層重ねた植栽基盤材の断面図であり、３、３'  はそれぞれのわたシート１の貫通した孔であり、孔３、３'  は連通している。図９に示す複数構造の植栽基盤材は、図７〜８に示す植物培地にも好適に使用される。
【実施例】
【００１６】
実施例１
図８に示すとおり、底部に多数のトレー６を有し、かつ側壁１０を有する樹脂製外枠７を、グランドの土の上に設置し、トレーに土を詰めた後、図１に示す植栽基盤材１｛カタワタ（ポリステル繊維７０％とビニロン３０％からなる不織布、嵩比重０．０５、吸水率２７０％、厚さ３０ｍｍ、縦横４９ｃｍ×４９ｃｍ、円形の孔径３５ｍｍ、孔の数３００個／１ｍ２）からなる｝を複数枚並べて設置し、貫通孔３に砂または土壌を充填し、土を締固めした後、表面が凹凸にならないように整え、その上に芝生９を植栽し、観察したが、芝生の生育は良好であり、また踏みつけてもヘタリが少なく、芝生の状況は良好であった。
【００１７】
実施例２
実施例１において、芝生の代わりに、セダムを使用した以外は実施例１と同様にして観察したが、セダムの生育は良好であり、また踏みつけてもヘタリが少なく、セダムの状況は良好であった。
【００１８】
比較例１
実施例１において、孔を有するカタワタの代わりに、ダブルラッセルを使用し、それ以外は実施例１と同様にし、芝生を植栽した。しかしながら、ダブルラッセルの内部へ土を非常に入れにくく、時間がかかり、さらに施工面も悪く、そのために、踏圧感が均一ではなく、またふわふわしと部分が多かった。
【００１９】
実施例３
図８に示すとおり、底部に多数のトレー６を有し、かつ側壁１０を有する樹脂製外枠７を、グランドの土の上に設置し、トレーに土を詰めた後、図９に示す植栽基盤材１｛カタワタ（ポリステル繊維７０％とビニロン３０％からなる不織布、嵩比重０．０５、吸水率２７０％、厚さ１５ｍｍ、縦横４９ｃｍ×４９ｃｍ、円形の孔径３５ｍｍ、孔の数３００個／１ｍ２）を２枚重ねたもの（厚さ３０mm）｝を複数枚並べて設置し、貫通孔３、３'に砂または土壌を充填し、土を締固めした後、表面が凹凸にならないように整え、その上に芝生９を植栽し、観察したが、芝生の生育は良好であり、また踏みつけてもヘタリが少なく、芝生の状況は良好であった。また、植栽から３年後に根が植栽基盤材に充満したため、下層のわたシートを新しいわたシートに取り替えた。そのあと、新たな根の生育が促進された。
【産業上の利用可能性】
【００２０】
本発明の植栽基盤材および植物培地は、ベランダ、屋上緑化用にとくに有用であり、さらにはグランド、庭などの土壌面の緑化、とくに芝生化用に有用であり、さらには壁面緑化用にも有用である。
【図面の簡単な説明】
【００２１】
【図１】本発明の植栽基盤材の平面図である。
【図２】図１のＡ−Ａの断面図である。
【図３】本発明の他の態様を示す植栽基盤材の平面図である。
【図４】図３のＡ−Ａの断面図である。
【図５】本発明の他の態様を示す植栽基盤材の平面図である。
【図６】本発明の他の態様を示す植栽基盤材の平面図である。
【図７】本発明の植物培地の斜視図である。
【図８】本発明の植物培地の芝生植え付け施工例の斜視図である。
【図９】本発明の２層構造の植栽基盤材の断面図である。
【符号の説明】
【００２２】
１      わたシート
２      孔
３      貫通孔
３'      貫通孔
４      貫通していない孔
５      底部
６      トレー
７      樹脂製外枠
８      トレーの下部の孔
９      芝生
１０    外枠の側壁
【図１】
2005261423.tif 000003
【図２】
2005261423.tif 000004
【図３】
2005261423.tif 000005
【図４】
2005261423.tif 000006
【図５】
2005261423.tif 000007
【図６】
2005261423.tif 000008
【図７】
2005261423.tif 000009
【図８】
2005261423.tif 000010
【図９】
2005261423.tif 000011